(57)【特許請求の範囲】
【請求項１】
発光装置であり、
第１光部及び第２光部を含む光分布を供給するよう構成される、光源の少なくとも１つのグループを形成する複数の固体光源であって、前記固体光源の少なくとも幾つかが、507±30nmの主波長を持つ第１波長範囲の光を発するよう適応される複数の固体光源と、
前記発光装置を出る出力光であって、中央出力光及び周囲出力光を含む出力光をもたらすために、前記光源によって発せられる光を少なくとも部分的にコリメートするよう適応される少なくとも１つの光学部品とを有する発光装置であって、前記中央出力光が、555±20nmの主波長及び少なくとも3cd/m2の光強度を持ち、前記周囲出力光が、507±30nmの主波長及び3cd/m2未満の光強度を持ち、前記発光装置が、少なくとも、前記第１波長範囲の光を、555±20nmの主波長を持つ第２波長範囲の光に変換することができる第１波長変換部材であって、前記複数の固体光源の少なくとも幾つかによって供給される前記第１光部を受け、少なくとも部分的に変換するよう構成され、且つ前記固体光源によって供給される前記第２光部が前記第１波長変換部材の脇を通ることを可能するよう構成される第１波長変換部材を更に有する発光装置。
【請求項２】
前記第１光部及び前記出力光の中央部を供給するための固体光源の第１グループと、前記第２光部及び前記出力光の周囲部を供給するための固体光源の第２グループとを有する請求項１に記載の発光装置。
【請求項３】
少なくとも１つの第１固体光源によって発せられる光が、前記第１波長変換部材によって受け取られ、少なくとも１つの第２固体光源によって発せられる光が、前記第１波長変換部材によって受け取られない請求項２に記載の発光装置。
【請求項４】
前記少なくとも１つの第１固体光源が、第１光混合チャンバ内に配設され、前記第１波長変換部材が、前記第１光混合チャンバの光出射窓を形成し、前記少なくとも１つの第２固体光源が、前記第１光混合チャンバの外に配設される請求項３に記載の発光装置。
【請求項５】
前記中央出力光を形成するために前記第１光部を少なくとも部分的にコリメートするよう構成される第１光学部品と、前記周囲出力光を形成するために前記第２光部を少なくとも部分的にコリメートするよう構成される第２光学部品とを有し、前記第２光学部品が、前記第１光学部品より広い角度分布の光を供給する請求項１に記載の発光装置。
【請求項６】
前記中央出力光を形成するために、前記第２波長範囲の光を前記発光装置の中央光出射窓の方へ向けるよう構成される第１反射器又は屈折光学部品を有する請求項１に記載の発光装置。
【請求項７】
前記周囲出力光を形成するために、前記第２光部の光を前記発光装置の外側光出射窓の方へ向けるよう構成される第２反射器又は第２屈折光学部品を有する請求項１に記載の発光装置。
【請求項８】
前記第１波長変換部材が、量子ドットを有する請求項１に記載の発光装置。
【請求項９】
請求項１乃至８のいずれか一項に記載の発光装置を有するランプ又は照明器具。
【請求項１０】
請求項１乃至８のいずれか一項に記載の発光装置を有する街灯。
【請求項１１】
請求項１乃至８のいずれか一項に記載の発光装置を有するトーチライト。
【請求項１２】
請求項１乃至８のいずれか一項に記載の発光装置を有する、二輪車のランプなどの車両用のヘッドライト。
【発明の詳細な説明】
【技術分野】
【０００１】
本発明は、所望のスペクトル特性及び角度分布を持つ出力光を供給するよう適応される固体光源を有する発光装置に関する。
【背景技術】
【０００２】
人間の眼の感度は、光強度条件に依存する。視覚が桿体細胞によって伝えられる、暗所視状態と呼ばれる、<0.01cd/m2の低い光強度においては、眼は、507nmあたりに感度ピークを持ち、相対的に短い波長に対してより敏感である。逆に、視覚が主に錐体細胞によって伝えられる、明所視状態と呼ばれる、>3cd/m2の高い光強度においては、眼は、555nmあたりに感度ピークを持ち、より長い波長に対してより敏感である。
【０００３】
WO2006/132533は、夜間における良好な可視性と高い効率を兼ね備える、公共空間のための照明装置を提供することを目的としている。この目的のため、WO2006/132533は、第１波長領域及び第２波長領域の光を生成するのに適した固体光源を有する照明装置を提案している。第１波長領域は、500乃至550nmの波長を有し、第２波長領域は、560乃至610nmの波長を有する。照明装置は、人間の眼の感度が桿状体によって支配される（即ち、暗所視になる）ように第１波長領域からの主波長を持つ光を生成するよう設計される。
【０００４】
しかしながら、WO2006/132533において提案されている解決策の不利な点は、照明装置の真下の位置において、色認識が依然として不十分であることである。従って、当業界においては、屋外照明に適している改善された照明装置のニーズがある。
【発明の概要】
【発明が解決しようとする課題】
【０００５】
本発明の目的は、この問題を解決し、発光装置の真下及び前記発光装置から離れたところでの物体及び／又は色の可視性を向上させる発光装置を提供することである。
【課題を解決するための手段】
【０００６】
本発明の第１の態様によれば、この及び他の目的は、発光装置であり、
−  第１光部及び第２光部を含む光分布を供給するよう構成される、光源の少なくとも１つのグループを形成する複数の固体光源と、
−  前記発光装置を出る出力光であって、中央出力光及び周囲出力光を含む出力光をもたらすために、前記光源によって発せられる光を少なくとも部分的にコリメートするよう適応される少なくとも１つの光学部品とを有する発光装置であって、前記中央出力光が、555±20nmの主波長及び少なくとも3cd/m2の光強度を持ち、前記周囲出力光が、507±30nmの主波長及び3cd/m2未満の光強度を持つ発光装置によって達成される。
【０００７】
本発明の発光装置は、とりわけ、夜明け、夕暮れ及び夜のような環境照明が乏しい状態における屋外照明に非常に適している。前記発光装置の真正面（ダウンライトの場合には、真下）に発せられる波長は、色覚が向上されるように、明所視の状態における眼の感度に合うよう適応される。同時に、発せられる光の、強度がより低い周囲領域においては、発せられる波長は、前記光源からより遠く離れている物体の良好な可視性も供給するように、暗所視の状態における眼の感度に厳密に合うよう適応される。
【０００８】
本発明の実施例においては、前記固体光源の少なくとも幾つかが、第１波長範囲の光を発するよう適応されてもよい。その場合、前記発光装置は、少なくとも、前記第１波長範囲の光を第２波長範囲の光に変換することができる第１波長変換部材を更に有する。前記波長変換部材は、一般に、前記複数の固体光源によって発せられる前記第１光部を受け、少なくとも部分的に変換するよう構成され、且つ前記固体光源によって発せられる前記第２光部が前記第１波長変換部材の脇を通ることを可能するよう構成される。例えば、少なくとも１つの第１固体光源によって発せられる光は、前記第１波長変換部材によって受け取られることができ、少なくとも１つの第２固体光源によって発せられる光は、前記第１波長変換部材は、前記第１波長変換部材を避け得る（例えば、前記第１波長変換部材の脇を通り得る）。
【０００９】
前記第１波長範囲は、507±30nmの主波長を持ち得る。
【００１０】
本発明の実施例においては、前記発光装置は、前記第１光部及び前記出力光の中央部を供給するための固体光源の第１グループと、前記第２光部及び前記出力光の周囲部を供給するための固体光源の第２グループとを有し得る。
【００１１】
本発明の実施例においては、前記少なくとも１つの第１固体光源は、第１光混合チャンバ内に配設されてもよく、前記波長変換部材は、前記光混合チャンバの光出射窓を形成してもよく、前記少なくとも１つの第２固体光源は、前記第１光混合チャンバの外に配設されてもよい。幾つかの実施例においては、前記少なくとも１つの第２固体光源は、第２光混合チャンバ内に配設されてもよい。
【００１２】
本発明の実施例においては、前記波長変換部材は、前記少なくとも１つの第１固体光源を覆い得る。
【００１３】
本発明の実施例においては、前記発光装置は、前記周囲光部を受けるよう構成される第２波長変換部材であって、前記第１波長範囲の光を第３波長範囲の光に変換することができる第２波長変換材料を含む第２波長変換部材を更に有する。前記第３波長範囲は、507±30nmの主波長を持ち得る。暗所視の光条件のための所望の波長を供給するために波長変換材料を用いることは、異なる発光スペクトルを持つ光源の使用を可能にする。
【００１４】
本発明の実施例においては、前記発光装置は、前記中央出力光を形成するために前記第１光部を少なくとも部分的にコリメートするよう構成される第１光学部品と、前記周囲出力光を形成するために前記第２光部を少なくとも部分的にコリメートするよう構成される第２光学部品とを有してもよく、前記第２光学部品は、前記第１光学部品より広い角度分布の光を供給する。従って、前記光源からの光は、各々、前記中央部及び周囲部を形成するよう効果的に方向付けられ得る。
【００１５】
波長変換部材を用いる本発明の実施例においては、前記発光装置は、前記中央出力光を形成するために、前記第２波長範囲の光を前記発光装置の中央光出射窓の方へ向けるよう構成される第１反射器又は屈折光学部品を有してもよい。
【００１６】
更に、波長変換部材を用いる本発明の実施例においては、前記発光装置は、前記周囲出力光を形成するために、前記第２光部の光を前記発光装置の外側光出射窓の方へ向けるよう構成される第２反射器又は第２屈折光学部品を有してもよい。この文脈における「第２」は、その位置及び／又は機能を指すために用いられており、「第１」反射器又は屈折光学部品を必要とするように解釈されるべきではなく、上記のような第１反射器又は光学部品が存在せずとも、前記発光装置が、前記第２光部の光を外側光出射窓の方へ向けるよう構成される前記第２反射器又は第２屈折光学部品を有し得ることが考えられる。
本発明の実施例においては、前記第１光学部品は、第１光源と光学的接触するよう構成されてもよく、前記第２光学部品は、第２光源と光学的接触するよう構成されてもよい。
【００１７】
本発明の実施例においては、前記波長変換部材は、量子ドットを有してもよい。第２波長変換部材も用いられる場合、一方の又は両方の波長変換部材が、量子ドットを有してもよい。量子ドットは、はっきりした狭い発光帯を持ち、このことが、量子ドットを、例えば、555±20nmの主波長が望ましい本発明における使用にとりわけ適したものにする。
【００１８】
本発明の実施例においては、前記第１波長変換部材と前記固体光源とが、互いに間隔をおいて配置される。あるいは、幾つかの実施例においては、前記第１波長変換部材は、前記固体光源の少なくとも１つの上にじかに配設され得る。
【００１９】
別の態様によれば、本発明は、本願明細書に記載されているような発光装置を有するランプ又は照明器具を提供する。
【００２０】
更に別の態様によれば、本発明は、本願明細書に記載されているような発光装置を有する街灯を提供する。前記街灯は、発光スペクトルであって、前記発光スペクトルが、発せられる光の強度及び方向と関連付けられると共に、前記発光装置の真下及び前記発光装置から離れたところでの物体及び色の可視性を向上させるよう適応され得る発光スペクトルを供給し得る。従って、前記街灯は、運転者及び歩行者の快適さ及び安全性の向上を供給し得る。
【００２１】
他の態様によれば、本願明細書に記載されているような発光装置を有するトーチライト、及び本願明細書に記載されているような発光装置を有する車両用のヘッドライト、とりわけ、二輪車のランプを提供する。
トーチライト及び二輪車のランプは、主に、環境照明が乏しい状態において用いられることから、本発光装置は、このような用途においても非常に有用であり得る。
【００２２】
本発明は、請求項において列挙されている特徴の全てのあり得る組み合わせに関することに注意されたい。
【００２３】
ここで、本発明の実施例を示す添付の図面を参照して、本発明のこの及び他の態様についてより詳細に記載する。
【図面の簡単な説明】
【００２４】
【図１】本発明の実施例による、各々、明所視状態及び暗所視状態に適している異なる領域の光を供給する発光装置の側断面図である。
【図２】本発明の他の実施例による発光装置の側面図の断面図である。
【図３】本発明の他の実施例による発光装置の側面図の断面図である。
【図４】本発明の他の実施例による発光装置の側面図の断面図である。
【図５】本発明の実施例による、各々、明所視状態及び暗所視状態に適している異なる領域の光を供給する街灯を図示する。
【図６】本発明の実施例による、各々、明所視状態、薄明視状態及び暗所視状態に適している異なる領域の光を供給する街灯を図示する。
【発明を実施するための形態】
【００２５】
以下、本発明の現在好ましい実施例が示されている添付図面を参照して、本発明をより詳細に説明する。しかしながら、本発明は、多くの異なる形態で実施されてもよく、本願明細書に記載されている実施例に限定されるものとして解釈されるべきではない。もっと正確に言えば、これらの実施例は、完全及び完璧を期すために示されており、当業者に本発明の範囲を十分に伝える。同様の参照符号は、全体を通して、同様の要素を指す。
【００２６】
本発明は、とりわけ、夜明け、夕暮れ及び夜のような環境照明が乏しい状態における（特に屋外の）照明に非常に適している発光装置を開発している。本発光装置は、発光スペクトルであって、前記発光スペクトルが、発せられる光の強度及び方向と関連付けられると共に、発光装置の真下及び発光装置から離れたところでの物体及び色の可視性を向上させるよう適応され得る発光スペクトルを供給する。
【００２７】
図１は、所望の明所視の光スペクトル及び所望の暗所視の光スペクトルを供給するために用いられ得る発光装置の実施例を図示している。発光装置１００は、支持物１０７に配設される複数の固体光源１０１を有する。光源１０１の前方には、第１波長変換部材１０２が、光源１０１のグループによって発せられる光の中央部を受けるために配設される。前記波長変換部材を出る変換光は、波長変換光、及び変換されずに波長変換部材１０２を通して伝達されるあらゆる未変換光が、中央出力光として発光装置を出ることができるように、後に、中央反射器１０４の凹状面１０４ａによって、部分的に向け直される。
【００２８】
本発明の実施例によれば、発光装置によって発せられる光の中央部は、少なくとも3cd/m2の強度を持つ明所視の光であり、555nm±20nmの、即ち、535乃至575nmの波長範囲内の主波長を持つ。一般に、この明所視の光は、白色の又は白っぽい光であり得る。
【００２９】
更に、光源１０１によって周囲方向に発せられる光は、随意に少なくとも１つの横方向光出射窓を介して、波長変換部材１０２を避け、後に、中央反射器を例えば同心で囲む周辺凹状反射器１０６によって、向け直される。随意に、この周囲の未変換光は、一般に、中央反射器１０４の凸状外面１０４ｂによっても、向け直される。結果として、低い強度の未変換光、即ち、暗所視の光が、発光装置から周囲方向に出て行き得る。周囲光は、一般に、507nm±30nmの主波長を持つ。
【００３０】
従って、本発明の実施例によれば、発光装置によって発せられる光の周囲部は、0.01cd/m2未満の強度を持つ暗所視の光(S)であり、507nm±30nmの、即ち、477乃至537nmの波長範囲内の主波長を持つ。一般に、この暗所視の光は、白色の又は白っぽい光であり得る。
【００３１】
波長変換部材１０２は、変換されるべきである波長範囲、及び所望の変換波長範囲、及び変換光と未変換（透過）光との組み合わせであり得る出力光の所望の主波長に関して選択される少なくとも１つの波長変換材料を有する。例えば、第２波長範囲の光（変換光）は、555nm±20nmの主波長を持ち得る。
【００３２】
本発明によれば、507nm±30nmの主波長を持つ光を供給するための様々な解決策がある。図１に図示されている実施例においては、光源１０１が、507nm±30nmの主波長を持つ第１波長範囲の光を発するよう適応される。しかしながら、他の実施例においては、「第１波長範囲」に対応する、光源によって発せられる光は、より短い波長の光、一般に、青色光であってもよく、透明な横方向出射窓１０５の代わりに、光源１０１によって発せられる（例えば、青色）光の一部を507nm±30nmの主波長を持つ光に変換することができる第２波長変換部材が設けられてもよい。これらの実施例においては、依然として、波長変換部材１０２が、前記第１波長範囲を前記第２波長範囲に変換する。図２は、本発明の発光装置の別の実施例を示している。ここでは、発光装置２００は、光源の２つのグループを有する。中央光源２０１ａとも呼ばれる光源２０１ａの第１グループは、支持プレート２０７上の中央に配設される。くさび形波長変換部材２０２が、光源２０１ａによって発せられる全ての光を受けるよう光源２０１ａの上に配設される。くさびは、発光方向に向いており、波長変換部材２０２の側面は、発光装置の周囲に面する。他の例においては、波長変換部材２０２は、角錐、半球又は半円柱の形状をしていてもよい。波長変換部材２０２を出る光は、一般に555nm±20nmの主波長を持つ中央出力光を形成するよう、凹状反射器２０４によって、部分的に向け直される。発光装置は、支持プレート２０７上の周囲に配設される光源２０１ｂの第２グループを更に有する。周囲光源２０１ｂは、波長変換部材２０２によって覆われず、周囲光源２０１ｂによって発せられる光は、大部分は、反射器２０４に向け直されずに発光装置を出る。光源２０１ａは、波長変換部材２０２によって前記第２波長範囲に変換され得る任意の適切な波長の光を発するよう適応され得る。例えば、光源２０１ａは、青色光又は507nm±30nmの主波長を持つ光を発し得る。光源２０１ｂは、507nm±30nmの主波長を持つ光を発するよう適応され得る。他の例においては、光源２０１ｂは、異なる(一般に、より短い)波長範囲の光を発してもよく、例えば、発せられる光を、507nm±30nmの主波長を持つ光に変換することができる第２波長変換部材が、光源２０１ｂの１つ以上の真上に配設されてもよい。図３に図示されている別の実施例においては、発光装置３００は、底部支持物３０７と、少なくとも１つの反射壁３０８ａと、光出射窓を形成する波長変換部材３０２とによって境界を定められる光混合チャンバ３０８内に配設される、第１波長範囲の光を発するための光源３０１ａの第１中央グループを有する。ここでは凹状反射器カップである、反射器３０４が、光出射窓（即ち、波長変換部材）を介して光混合チャンバを出る光を少なくとも部分的に向け直すよう、光出射窓のまわりに配設される。光混合チャンバを出る、第２波長範囲の光を有する、少なくとも部分的に波長変換された光は、従って、発光装置によって発せられる光の中央部を供給し、前記中央部は、555nm±20nmの主波長を持つ。更に、周囲光を発するための光源３０１ｂの第２グループが、光混合チャンバの外に配設され、従って、光源３０１ｂによって発せられる光は、波長変換部材３０２によって変換されるのを回避する。図に図示されているように、光源３０１ｂは、少なくとも１つの支持部材３０９に配設されてもよく、前記少なくとも１つの支持部材３０９は、例えば、反射器３０４の内面上又は内部に取り付けられ得る。光源３０１ｂの第２グループは、周囲光を供給する。
【００３３】
光源３０１ａは、波長変換部材３０２によって前記第２波長範囲に変換され得る任意の適切な波長の光を発するよう適応され得る。例えば、光源３０１ａは、青色光又は507nm±30nmの主波長を持つ光を発し得る。光源３０１ｂは、507nm±30nmの主波長を持つ光を発するよう適応され得る。幾つかの実施例においては、光源３０１ｂは、上で、光源２０１ｂに関して記載したような直接蛍光体変換光源、例えば、青色光を発する光源であって、光源３０１ｂの真上に配設される、507nm±30nmの主波長を持つ光への変換のための波長変換部材を持つ光源であり得る。
【００３４】
図４に図示されている更に別の実施例においては、発光装置は、少なくとも２つの、別々の光混合チャンバ、即ち、光源４０１ａの第１グループを有する第１光混合チャンバ４０９と、光源４０１ｂの第２グループを有する第２光混合チャンバ４１０とを有する。第１光混合チャンバは、反射支持物と、少なくとも１つの反射側壁と、光出射窓を形成する第１波長変換部材４０２とを有する。ここでは第１反射器である、第１光学部品４０４が、第１光混合チャンバ４０９を出る光を部分的に向け直すよう、光出射窓の外側周囲に配設される。光混合チャンバを出る光は、反射器４０４によって実質的にコリメートされ得る。ここでは第２反射器である、第２光学部品４０６が、反射器４０４によってもたらされる光分布より大きい角度に光が分布させられるような、より低い程度の光コリメーションをもたらすコリメーションを供給する。本発明の実施例においては、光学部品４０４、４０６の一方又は両方が、ＴＩＲ光学部品のような屈折光学部品であり得る。
【００３５】
第２光混合チャンバ４１０は、反射支持物と、少なくとも１つの反射側壁と、透明な光出射窓４１１とを有する。例えば、透明な光出射窓は、透明なプレートを有し得る。透明な光出射窓４１１の外側周囲には、第２反射器４０６が、第２光混合チャンバを出る光を少なくとも部分的に向け直すよう配設される。
幾つかの実施例においては、光源４０１ａは、555nm±20nmの主波長を持つ光を発し得るのに対して、光源４０１ｂは、507nm±30nmの主波長を持つ光を発し得る。この場合には、波長変換部材４０２は、透明な光出射窓４０２に置き換えられ得る。更に、光源４０１ａ及び４０１ｂは、結果として生じる出力光が所望のスペクトル特性を持つように、波長変換部材４０２及び／又は透明な光出射窓４１１の位置における第１及び／又は第２波長変換部材と適切に組み合わされる場合には、如何なる波長範囲の光を発してもよい。幾つかの実施例においては、光混合チャンバ４０９、４１０の一方又は両方が、更なる波長変換素子４０３を有してもよく、更なる波長変換素子４０３は、反射側壁の少なくとも一部に取って代わるよう配設され得る。
【００３６】
図５に図示されている本発明の更に別の実施例においては、発光装置５００は、支持物５０２に配設される複数の個別の固体光源５０１ａ、５０１ｂ、５０１ｃを有する。各光源５０１ａ、５０１ｂ、５０１ｃは、光の所望の程度のコリメーションを供給する各々の光学部品５０３ａ、５０３ｂ、５０３ｃと組み合わせて用いられる。例えば、発光装置を出る光の中央部を供給することを目的とする光源５０１ａは、光学部品５０３ａと関連付けられ、前記光学部品５０３ａは、発光装置を出る周囲光を供給するよう適応される光源５０１ｃと関連付けられる光学部品５０３ｃと比べてより高い程度のコリメーションを供給する。光学部品５０３ａ乃至５０３ｃは、全内部反射（ＴＩＲ）によって光を方向づける、所謂ＴＩＲ光学部品であり得る。
【００３７】
光源５０１ａ乃至５０１ｃは、所望のスペクトル特性を持つ光を発するよう適応され得る。従って、周囲光を供給することを目的とする光源は、507nm±30nmの主波長を持つ光を発してもよく、中央光を供給することを目的とする光源は、555nm±20nmの主波長を持つ光を発してもよい。他の例においては、光源の幾つか又は全てが、上で、図２及び３に関して記載したような直接変換光源であり得る。即ち、光源は、光源の真上に配設される波長変換部材によって後に所望の波長範囲に変換される光を発し得る。例えば、全ての光源が、青色光を発してもよく、前記青色光は、２つの異なるタイプの波長変換部材によって、各々、507nm±30nm又は555nm±20nmの主波長を持つ光に変換される。他の例においては、全ての光源が、507nm±30nmの主波長を持つ光を発してもよく、中央光を供給することを目的とする光源は、この光の少なくとも一部を第２波長範囲に変換することができる波長変換部材を具備してもよい。
【００３８】
従って、明所視及び暗所視の条件を満たす所望の光スペクトルが、随意に１つ以上の直接変換光源を用いる光源において、直接、得られることができ、コリメート光学部品が、各光源からの所望の光角度分布を得るために用いられ得る。
【００３９】
図６は、本発明の実施例による発光装置を内蔵する街灯１の一部を図示している。発光装置は、街灯の真下に、明所視の光（Ｐ）（即ち、高い強度）を供給する。光強度は、発光装置からの横方向距離が大きくなればなるほど、弱くなり、暗所視（Ｓ）の状態をもたらす。上記のように、発光装置によって発せられる光の中央部は、一般に、少なくとも3cd/m2の強度を持ち、555nm±20nmの、即ち、535乃至575nmの波長範囲内の主波長を持ち得る。一般に、この明所視の光は、白色の又は白っぽい光であり得る。更に、発光装置によって発せられる光の周囲部は、一般に、0.01cd/m2未満の強度を持ち、507nm±30nmの、即ち、477乃至537nmの波長範囲内の主波長を持ち得る。この暗所視の光は、白色の又は白っぽい光であり得る。
【００４０】
図７は、本発明の他の実施例による発光装置を内蔵する街灯２の一部を図示している。ここでは、街灯から、中央部と、最も外側の周囲部との間の方向に発せられる光は、0.01cd/m2から3cd/m2までの範囲内の、即ち、暗所視の条件と明所視の条件との間の強度を持つ。このような光は、薄明視の光（M）と呼ばれる。本発明の実施例によれば、発光装置は、0.01乃至3cd/m2の強度を持ち、532±30nmの、即ち、502乃至562nmの範囲内の主波長を持つ、半周囲の薄明視の光を発するよう適応され得る。このようなスペクトル及び出力光分布は、図１乃至４の実施例のいずれかに光源の付加的なグループ及び／又は付加的な波長変換素子を付加することによって、達成されることができ、前記付加的な光源又は付加的な波長変換部材は、532±30nmの主波長を持つ半周囲光を供給する。図５に示されている実施例においては、中央光源５０１ｂが、随意に直結蛍光体と組み合わせて、前記薄明視の光を供給するよう適応され得る。図７に示されている光分布を得るよう、様々な出力スペクトルに対して光の角度分布を調節するために、随意に、1つ以上の反射器又はコリメータも用いられ得る。
【００４１】
本発明において用いられる光源は、固体光源であり、一般に、発光ダイオード（ＬＥＤ）又はレーザダイオードである。
【００４２】
上述のように、本願明細書に記載されているような波長変換部材は、第１波長範囲の光を第２波長範囲の光に変換することができる波長変換材料を有する。波長変換材料は、変換されるべきである第１波長範囲と、第２波長範囲と、出力光の所望の主波長とに関して、選択される。様々な光条件下で可視性を向上させるために非常に有用である狭い波長範囲又は主波長を供給するために、波長変換部材は、量子ドットを含み得る。
【００４３】
量子ドット、量子ロッド又は量子テトラポッドは、一般にわずか数ナノメートルの幅又は直径を持つ半導体材料の小さな結晶である。量子ドットは、入射光によって励起される際に、結晶の材料及びサイズによって決定される色の光を発する。それ故、量子ドットのサイズを適応させることによって、特定の色の光が生成され得る。本発明の実施例においては、量子ドットは、例えば、少なくとも１つの方向において、１乃至10nmの範囲内のサイズを持ち得る。量子ドットの変形例として、量子ロッドが用いられてもよく、前記量子ロッドは、１乃至10nmの範囲内の幅及び最大で1mm以上までの長さを持ち得る。更に、量子ドットは、非常に狭い発光帯を持ち、従って、飽和色を示す。
【００４４】
現在、可視範囲内の発光を持つほとんどの量子ドットが、硫化カドミウム(CdS)及び硫化亜鉛(ZnS)などのシェルを備えるセレン化カドミウム(CdSe)をベースにしている。リン化インジウム(InP)並びに硫化銅インジウム(CuInS2)及び／又は硫化銀インジウム(AgInS2)などのカドミウムを含まない量子ドットも用いられ得る。当業界において知られている如何なるタイプの量子ドットも、適切な波長変換特性を持つ場合には、本発明において用いられ得る。例えば、本発明の実施例においては、CdSe、InP、CuInS2又はAgInS2を有する量子ドットが用いられ得る。しかしながら、環境の安全性及び懸念の理由のため、カドミウムを含まない量子ドット又は少なくともカドミウム含有量が少ない量子ドットを用いることが好ましいかもしれない。
【００４５】
他の例においては、波長変換部材は、有機又は無機蛍光体を含み得る。波長変換材料としての使用に適した有機蛍光体材料の例は、例えば、BASFによりLumogen（登録商標）というブランド名で販売されている、ペリレン誘導体をベースにしたルミネセンス材料を含む。従って、適切な市販製品の例は、Lumogen（登録商標） Red F305、Lumogen（登録商標） Orange F240、Lumogen（登録商標） Yellow F170及びそれらの組み合わせを含むが、これらに限定されない。
【００４６】
波長変換材料に適した無機蛍光体の例は、セリウムをドープしたイットリウムアルミニウムガーネット（YAG:Ce又はCeをドープしたYAGとも呼ばれるY3Al5O12:Ce3+）又はルテチウムアルミニウムガーネット(LuAG; Lu3Al5O12)、α-SiAlON:Eu2+（黄色）、及び M2Si5N8:Eu2+（赤色）を含むが、これらに限定されず、ここで、Mは、Ca、Sr及びBaから選択されるすくなくとも１つの元素である。一般に青色光を発する光源との組み合わせにおいて、本発明の実施例において用いられ得る無機蛍光体の別の例は、YAG:Ceである。更に、アルミニウムの一部は、ガドリニウム(Gd)又はガリウム(Ga)と置換されてもよく、より多くのGdは、黄色発光の赤色シフトをもたらす。他の適切な材料は、赤色範囲内の光を発するSr2Si5N8:Eu2+などの、(Sr1-x-yBaxCay)2-zSi5-aAlaN8-aOa:Euz2+を含んでもよく、ここで、0≦a<5、0≦x≦1、0≦y≦1、0<z≦1且つ(x+y)≦1である。
【００４７】
随意に、波長変換部材は、散乱素子、例えば、Al2O3又はTiO2の粒子も含み得る。
【００４８】
当業者には、本発明が、決して、上記の好ましい実施例に限定されないことは分かるであろう。逆に、添付の請求項の範囲内で多くの修正及び変更が可能である。例えば、図面は、複数の光源を用いる実施例を示しているが、当業者には理解されるだろうように、幾つかの実施例においては、単一の光源だけを、又は本図面においては光源のグループが示されている場所で単一の光源を用いることも可能である。例えば、光源１０１のグループの代わりに、単一の光源が用いられてもよく、且つ／又は単一の光源が、光源２０１ａ、３０１ａ、５０１ａの第１グループに取って代わってもよく、且つ／又は単一の光源が、光源２０１ｂ、３０１ｂ、５０１ｂの第２グループに取って代わってもよい。更に、図示されている実施例は、光源から或る距離を置いて配置される波長変換素子（所謂、遠隔蛍光体構成）を示しているが、複数の波長変換部材であってもよい波長変換部材は、とりわけ、波長変換のために量子ドットが用いられる場合には、光源のより近くに配設され得る、又はそれどころか、光源上にじかに配設され得ると考えられる。
【００４９】
本願明細書に記載されている発光装置の、街灯以外の考えられる用途は、車両のヘッドライト、とりわけ、二輪車のヘッドライト、及びトーチ（フラッシュ）ライト、一般に、ハンドヘルドトーチライトを含む。
【００５０】
更に、当業者は、請求項記載の発明の実施において、図面、明細及び添付の請求項の研究から、開示されている実施例に対する変形を、理解し、達成することができる。請求項において、「有する」という用語は、他の要素又はステップを除外せず、単数形表記は、複数の存在を除外しない。特定の手段が、相互に異なる従属請求項において引用されているという単なる事実は、これらの手段の組み合わせが有利になるように使用されることができないと示すものではない。
【図１】
0006295266.tif 000002
【図２】
0006295266.tif 000003
【図３】
0006295266.tif 000004
【図４】
0006295266.tif 000005
【図５】
0006295266.tif 000006
【図６】
0006295266.tif 000007
【図７】
0006295266.tif 000008